(57)【要約】【課題】防汚性に優れ、床材等に長期使用しうる耐久性を有した調湿建材を提供する。【解決手段】調湿建材１は、調湿板４と、調湿板４の表面に固着された仕上げ材２と、調質板４の裏面に固着されたゴム板６とから構成されている。調湿板４と仕上げ材２、ゴム板６とは、接着剤の点付けや両面テープ等によって固着されている。仕上げ材２の隣接２端面には、透湿性及び防水性を有した透湿防水目地材８が取り付けられている。仕上げ材２の裏面には、通気溝２ａが刻設されている。【選択図】  図１
2004156345.tif 000002
【特許請求の範囲】
【請求項１】
調湿性を有した調湿板と、該調湿板の前面に固着された板状の防汚性仕上げ材とを有する調湿建材。
【請求項２】
請求項１において、仕上げ材と調湿板との間に通気路が設けられていることを特徴とする調湿建材。
【請求項３】
請求項２において、該仕上げ材の裏面又は調湿板の表面に通気溝が設けられていることを特徴とする調湿建材。
【請求項４】
請求項２又は３において、該通気路は該仕上げ材の端面にまで延在していることを特徴とする調湿建材。
【請求項５】
請求項１ないし４のいずれか１項において、該調湿板の裏面に軟質板が固着されていることを特徴とする調湿建材。
【請求項６】
請求項５において、該軟質板に開口が設けられていることを特徴とする調湿建材。
【請求項７】
請求項１ないし６のいずれか１項において、端面に透湿性及び防水性を有した目地材が取り付けられていることを特徴とする調湿建材。
【請求項８】
請求項１ないし７のいずれか１項において、該仕上げ材はタイル又は石板であることを特徴とする調湿建材。
【発明の詳細な説明】
【０００１】
【発明の属する技術分野】
本発明は調湿建材に係り、特に表面の防汚性に優れた調湿建材に関する。
【０００２】
【従来の技術】
防汚性に優れた調湿建材として、特開平１１−３１５５８６号、特開２０００−２７３９７２号、特開２００１−８１８７３号には、調湿材料よりなる板材の表面に釉薬を施して焼成して釉層（ガラス層）を形成した調湿建材が記載されている。
【０００３】
なお、特開２０００−２８２５９３号には、調湿石膏ボードの前面に複数の調湿タイルを接着してなる調湿建材が記載されている。
【０００４】
【特許文献１】
特開平１１−３１５５８６号
【特許文献２】
特開２０００−２７３９７２号
【特許文献３】
特開２００１−８１８７３号
【特許文献４】
特開２０００−２８２５９３号
【０００５】
【発明が解決しようとする課題】
上記特許文献１〜３の調湿建材にあっては、防汚性層は比較的薄い釉層であるため、床材に適用したときには釉層が摩耗するので、長期使用には不向きである。
【０００６】
上記特許文献４の調湿建材は、多孔質の調湿タイルが前面に配置されているため、防汚性に劣る。
【０００７】
本発明は、防汚性に優れ、しかも床材等に長期使用しうる耐久性を有した調湿建材を提供することを目的とする。
【０００８】
【課題を解決するための手段】
本発明の調湿建材は、調湿性を有した調湿板と、該調湿板の前面に固着された板状の防汚性仕上げ材とを有するものである。
【０００９】
かかる調湿建材にあっては、板状の防汚性仕上げ材が調湿板の前面に固着されているので、防汚性に優れると共に、床材に使用しても長期にわたり防汚性が維持される。
【００１０】
この仕上げ材の裏面又は調湿板の表面に通気溝を設けることなどにより仕上げ材と調湿板との間に通気路を形成することにより、調湿板の吸放湿特性が向上し、調湿建材の調湿性能が向上する。
【００１１】
特に、この通気溝が調湿建材の端面にまで達するように設けられていると、調湿建材の調湿性能が著しく向上する。
【００１２】
この調湿建材の裏面にゴム板等の軟質板を固着しておくと、調湿建材を床材として使用した場合に床にクッション性が付与される。
【００１３】
この軟質板に開口を設けておくと、床下地面に不陸があっても調湿建材のガタツキを防止ないし抑制することができる。
【００１４】
この調湿建材の端面に透湿性及び防水性を有した目地材を取り付けた場合には、複数の調湿建材を突き付けて施工したときに、目地を通して吸放湿が行われるようになり、調湿特性が向上する。この目地材は調湿建材の隣接する２辺又は４辺全体に設けられることが好ましい。
【００１５】
上記の仕上げ材としては、タイル又は石板が好ましい。
【００１６】
【発明の実施の形態】
以下、図面を参照して実施の形態について説明する。
【００１７】
第１図（ａ）は本発明の実施の形態に係る調湿建材の平面図であり、第１図（ｂ）は該調湿建材の側面図であり、第２図は本発明の実施の形態に係る調湿建材の分解斜視図である。第３図はこの調湿建材の施工例を示す斜視図である。
【００１８】
調湿建材１は、調湿板４と、調湿板４の表面に固着された板状の仕上げ材２と、調湿板４の裏面に固着されたゴム板６とから構成されている。調湿板４と仕上げ材２、ゴム板６とは、接着剤や両面テープ等によって固着されている。この接着剤は全面に付着されてもよいが、通常は部分的に点付けするだけで十分である。
【００１９】
この実施の形態では、仕上げ材２の隣接する２端面には、透湿性及び防水性を有した透湿防水目地材８が取り付けられている。また、仕上げ材２の裏面には通気溝５が形成されている。この実施の形態では、各通気溝５は直交方向にそれぞれ複数条ずつ設けられている。各通気溝５は仕上げ材２の辺と平行方向に延在し、且つ仕上げ材の２の端縁にまで達している。
【００２０】
調湿板４は、仕上げ材２と同一の平面寸法を有しており、その表面が仕上げ材２の裏面と固着されている。
【００２１】
ゴム板６は、仕上げ材２と同一の平面寸法を有しており、複数の穴６ａが厚み方向に貫設されている。この実施の形態では穴６ａは円形であるが、角形など他の形状であってもよい。
【００２２】
この調湿建材１は、第３図の如く、透湿防水目地材８が取り付けられた２つの端面を別の調湿建材１Ａの透湿防水目地材８が取り付けられていない端面と当接させるようにして床面１０上に敷設施工される。調湿建材１は、接着剤等により床面１０に接着されてもよく、単に床面１０に載せるように非接着状に配置されてもよい。ゴム板６を省略した場合には、モルタルによって床面に固着されてもよい。
【００２３】
本実施の形態に係る調湿建材１は、調湿板４を有することから、調湿性を有する。特に、仕上げ材２の裏面に通気溝２ａが設けられており、調湿板４の表面の広い面積が大気に連通することから、調湿建材１の調湿性能が極めて良好である。調湿板４の表面に防汚性を有する板状の仕上げ材２が固着されていることから、長期にわたり防汚性が維持される。この板状の仕上げ材２は、塗装や薄い釉薬層と比べて著しく堅牢であり、耐久性に優れる。
【００２４】
この調湿建材１の裏面にはゴム板６が設けられているため、床材として使用した場合に床にクッション性が付与される。また、ゴム板６には開口６ａが貫設されているため、床面１０上に不陸があっても調湿建材１のガタツキを防止ないし抑制することができる。ただし、このゴム板６は省略されてもよい。
【００２５】
この調湿建材１の透湿防水目地材８は、防水性を有するため床面に水等をこぼしても、水等が該目地材８を通して浸透することが防止される。
【００２６】
第４図は、本発明の別の実施の形態に係る調湿建材の平面図である。
【００２７】
本実施の形態に係る調湿建材１Ａは、仕上げ材２の全周即ち４端面に透湿防水目地材８が取り付けられていること以外は、先の実施の形態に係る調湿建材１と同様である。
【００２８】
かかる調湿建材１Ａも、調湿建材１と同様に床面１０上に敷設施工される。
【００２９】
なお、仕上げ材２の材質としては、防汚性及び耐久性を有するものであれば、特に限定はないが、例えば樹脂、ガラス、金属、タイル、石板等が使用され、特に美観に優れたタイル又は石板が好適に使用される。
【００３０】
透湿防水目地材８としては、透湿性及び防水性を有するものであれば特に限定はなく、例えば発泡ポリエチレン等の発泡樹脂が好適に使用される。
【００３１】
調湿材４の材質としては、通常の建築材として使用される調湿材料であれば、特に限定はなく、例えば、ゼオライト、セピオライトを包含する多孔質鉱物や、アタバルジャイト、モンモリロナイト、ゾノトライト、活性白土を包含する粘土鉱物、珪藻土、シリカゲルなどが挙げられ、これらの材料を、単独、あるいは複数種を組み合わせて使用できる。
【００３２】
本実施の形態ではゴム板を使用しているが、ゴム板以外の軟質板を用いてもよい。
【００３３】
本実施の形態では、仕上げ材２の裏面に通気溝２ａを設けたが、調湿板４の表面に通気溝を設けてもよく、仕上げ材２と調湿板との間に複数のスペーサを介在させて、その間を通気路としてもよい。また、本実施の形態では調湿建材を床面に敷設したが、壁面に設置してもよいことは言うまでもない。
【００３４】
上記実施の形態では透湿防水目地材は予め仕上げ材に取り付けられているが、敷設中に透湿防水目地材を取り付けてもよい。なお、本実施の形態では調湿建材にゴム板を設けたが、壁面に設置する場合や床面が平坦な場合はゴム板はなくてもよい。
【００３５】
【発明の効果】
上述の通り、本発明に係る調湿建材は防汚性に優れ、しかも床材等に長期使用しうる耐久性を有するものとなる。
【図面の簡単な説明】
【図１】（ａ）は本発明の実施の形態に係る調湿建材の正面図であり、（ｂ）はその調湿建材の側面図である。
【図２】本発明の実施の形態に係る調湿建材の分解斜視図である。
【図３】本発明の実施の形態に係る調湿建材を床面に敷設する状態を説明する斜視図である。
【図４】本発明の別の実施の形態に係る調湿建材の平面図である。
【符号の説明】
１，１Ａ：調湿建材
２：仕上げ材
２ａ：通気溝
４：調湿板
６：ゴム板
６ａ：開口
８，８ａ：透湿防水目地材
１０：  床面
【図１】
2004156345.tif 000003
【図２】
2004156345.tif 000004
【図３】
2004156345.tif 000005
【図４】
2004156345.tif 000006